(57)【要約】【課題】  巻線の巻回時に巻線の巻き崩れを防止するモータを提供する。【解決手段】  ステータが有するボビンのポンプ部側に設けられる下端部２７は、巻線３２が巻回される第１インサート部と第２インサート部２２５とを接続する下端巻回部２７１、巻線３２の巻き始めを構成する巻始部３２１を保持する巻始保持部２７２、及び、下端巻回部２７１と巻始保持部２７２との間に設けられる規制部２７３などを形成する。巻始保持部２７２のポンプ部側に形成される巻始保持面２７６、及び、規制部２７３のポンプ部側に形成される端面２７８は、同一平面上に設けられ、下端巻回部２７１のポンプ部側に形成される巻回保持面２７４よりポンプ部側に設けられている。これにより、ボビンに巻線３２が巻回されるとき、巻回保持面２７４上に層状に巻回される巻線３２のうち中間部３０が巻始部３２１上に巻き崩れることを防止することができる。【選択図】  図８
2014236651.tif 000002
【特許請求の範囲】
【請求項１】
磁性材料から形成される複数のコア（１１、１２、１３、１４、１５、１６）、前記コアに対して巻回される複数の巻線（３１、３２、３３、３４、３５、３６）、及び、前記コアを被覆し前記コアと前記巻線とを絶縁する複数のボビン（２１、２２、２３、２４、２５、２６）を有し、前記巻線に通電すると磁界を生じるステータ（１０）と、
前記ステータに径内方向から対向するように設けられ、周方向に交互に異なる磁極を有し、前記ステータが生じる磁界により回転するロータ（５０）と、
を備え、
前記ボビンは、周方向の端部に前記巻線の巻き始めを構成する巻始部（３２１）を保持する巻始保持部（２７２）、前記巻始部に接続する前記巻線の中間部（３２２、３２３、３２４、３２５、３２６、３２７、３２８、３２９）が巻回される巻回部（２７１）、及び、前記巻始保持部と前記巻回部との間に設けられ前記巻回部に比べ前記ロータの中心軸方向に延びるよう形成され前記巻回部に巻回される前記中間部の前記巻始保持部への移動を規制する規制部（２７３）を形成することを特徴とするモータ。
【請求項２】
前記巻始保持部は、前記ロータの中心軸方向の前記規制部と同じ位置まで延びるよう形成されることを特徴とする請求項１に記載のモータ。
【請求項３】
前記巻始保持部の前記ロータの中心軸に垂直な巻始保持面（２７６）と前記巻回部の前記ロータの中心軸に垂直な巻回保持面（２７４）とは、前記ロータの中心軸に対して傾斜するよう形成される傾斜面（２７７）により接続されており、
前記巻始部と前記中間部とを接続する前記巻線の巻始中間部（３２０）は、前記傾斜面に沿って保持されることを特徴とする請求項１または２に記載のモータ。
【請求項４】
前記規制部の前記ロータの中心軸に垂直な端面（２７８）から前記巻回部の前記ロータの中心軸に垂直な巻回保持面（２７４）までの距離（Ｄ）は、前記巻線の半径以上の大きさであることを特徴とする請求項１から３のいずれか一項に記載のモータ。
【請求項５】
ブラシレスモータであることを特徴とする請求項１から４のいずれか一項に記載のモータ。
【請求項６】
車両に搭載される燃料タンク内の燃料を吸入し吐出する燃料ポンプ（１）であって、
請求項５に記載のモータと、
前記モータの前記ロータに接続し燃料を加圧する回転部材（６５）を有するポンプ部（４）と、
前記ポンプ部に前記燃料タンク内の燃料を吸入する吸入部（６０）と、
前記ポンプ部が加圧する燃料を外部に吐出する吐出部（４０）と、
を備える燃料ポンプ。
【発明の詳細な説明】
【技術分野】
【０００１】
本発明は、モータ、及び、それを用いた燃料ポンプに関する。
【背景技術】
【０００２】
従来、ステータが有するボビンに巻回した巻線への通電を制御して磁界を連続的に切り換えるとステータの径内方向に設けられるロータを回転させるモータが知られている。特許文献１には、巻回される巻線を保持する案内溝がボビンの巻回部に形成されている電気モータが記載されている。
【先行技術文献】
【特許文献】
【０００３】
【特許文献１】特開２００２−１２５３５３号公報
【発明の概要】
【発明が解決しようとする課題】
【０００４】
しかしながら、特許文献１に記載の電気モータでは、巻線は巻回部に複数の層状に巻回されるため、巻回部に最も近い１層目以外の巻線は保持されない。このため、巻線の巻回時に巻き崩れるおそれがある。
【０００５】
本発明の目的は、巻線の巻回時に巻線の巻き崩れを防止するモータを提供することにある。
【課題を解決するための手段】
【０００６】
本発明は、複数のコア、コアに対して巻回される複数の巻線、及び、コアと巻線とを絶縁する複数のボビンを有するステータと、ステータに径内方向から対向するよう設けられステータが生じる磁界によって回転するロータと、を備えるモータであって、ボビンは、周方向の端部に巻線の巻き始めを構成する巻始部を保持する巻始保持部、巻線の巻始部に接続する中間部が巻回される巻回部、及び、巻始保持部と巻回部との間に設けられ巻回部に比べロータの中心軸方向に延びるよう形成され中間部の巻始保持部への移動を規制する規制部を形成することを特徴とする。
【０００７】
ボビンに巻線を巻回すると、ボビンの巻回部には巻線の中間部が層状に巻回される。このとき、既に巻回部に巻回されている中間部の上に巻回される上の方の中間部は、下の方の既に巻回されている中間部に支持されるよう巻回されるため、巻回される位置が不安定になる。特に、層状に巻回される中間部に隣り合うように巻始保持部に保持される巻始部は１層のみボビンに巻回されるため、当該上の方の中間部は巻始部の上に巻き崩れるおそれがある。本発明のモータでは、巻始保持部と巻回部との間に巻回部に比べロータの中心軸方向に延びる規制部が形成されている。これにより、上の方の中間部の巻始保持部への移動を規制する。したがって、巻線の巻回時に中間部が巻始部の上に巻き崩れることを防止することができる。
【図面の簡単な説明】
【０００８】
【図１】本発明の一実施形態によるモータを用いた燃料ポンプの断面図である。
【図２】図１のＩＩ矢視図である。
【図３】図１のＩＩＩ−ＩＩＩ線断面図である。
【図４】本発明の一実施形態によるモータにおける巻線の巻回手順を説明する模式図である。
【図５】本発明の一実施形態によるモータにおける巻線の巻回手順を説明する模式図であって、図４に示す状態の後の巻回手順を説明する模式図である。
【図６】本発明の一実施形態によるモータにおける巻線の巻回手順を説明する模式図であって、図５に示す状態の後の巻回手順を説明する模式図である。
【図７】本発明の一実施形態によるモータが有するボビンの斜視図である。
【図８】本発明の一実施形態によるモータが有するボビンの斜視図であって、図７とは異なる方向から見た斜視図である。
【図９】本発明の一実施形態によるモータが有するボビンの要部拡大図である。
【図１０】比較例のモータが有するボビンの要部拡大図である。
【発明を実施するための形態】
【０００９】
以下、本発明の実施形態を図面に基づいて説明する。
【００１０】
（一実施形態）
本発明の一実施形態によるモータを用いた燃料ポンプについて、図１〜図９に基づいて説明する。
【００１１】
最初に、燃料ポンプの全体構成について、図１〜３に基づいて説明する。
燃料ポンプ１は、モータ部３、ポンプ部４、ハウジング５、ポンプカバー６０、及び、カバーエンド４０などから構成される。燃料ポンプ１では、モータ部３及びポンプ部４は、ハウジング５、ポンプカバー６０、及びカバーエンド４０により形成される空間に収容されている。
【００１２】
ハウジング５は、鉄などの金属により円筒状に形成されている。
ポンプカバー６０は、ハウジング５の吸入口６１側の端部を塞いでいる。「吸入部」としてのポンプカバー６０は、ハウジング５の吸入口６１側の端部の縁が内側へ加締められると、ハウジング５の内側で固定され、軸方向への抜けが規制されている。
【００１３】
カバーエンド４０は、樹脂で成形され、ハウジング５の吐出口４１側の端部を塞いでいる。「吐出部」としてのカバーエンド４０は、ハウジング５の吐出口４１側の端部の縁が内側へ加締められると、ハウジング５の内側で固定され、軸方向への抜けが規制されている。
カバーエンド４０の外部側には、図１の上方へ突出する筒部４０１が形成されている。筒部４０１は、ハウジング５の内部と連通する吐出通路４２、及び、吐出通路４２と外部とを連通する吐出口４１を形成する。カバーエンド４０の内部側には、ポンプ部４の方向に筒状に突出する筒部４０２が中心軸上に形成されている。筒部４０２の内側には、軸受５５が嵌め込まれている。
【００１４】
次にモータ部３の構成について説明する。
モータ部３は、ステータ１０、ロータ５０、及び、シャフト５２などから構成されている。モータ部３は、ブラシレスモータであって、電力が供給されるとステータ１０が回転磁界を発生し、ロータ５０がシャフト５２とともに回転する。
【００１５】
ステータ１０は、略円筒状に形成され、ハウジング５内の径方向外側に収容されている。ステータ１０は、６つのコア、６つのボビン、及び６つの巻線などを有している。ステータ１０は、６つのコア、６つのボビン、及び、６つの巻線を樹脂モールドにより一体に形成される。
【００１６】
６つのコア１１、１２、１３、１４、１５、１６は、それぞれ板状の磁性材料、例えば鉄が、ステータ１０の中心軸方向に複数枚重なるよう形成されている。コア１１、１２、１３、１４、１５、１６は、ロータ５０の径方向外側に設けられる磁石５４に対向する位置に設けられている。
【００１７】
コアには、それぞれ外環状部、接続部、及び内環状部が形成されている。外環状部１１１、１２１、１３１、１４１、１５１、１６１は、径方向外側に周方向に延びるよう形成される。接続部１１２、１２２、１３２、１４２、１５２、１６２は、外環状部１１１、１２１、１３１、１４１、１５１、１６１の径方向内側の略中心から径内方向に向かって延びるよう形成される。内環状部１１３、１２３、１３３、１４３、１５３、１６３は、接続部１１２、１２２、１３２、１４２、１５２、１６２の径方向内側に周方向に延びるよう形成される。
【００１８】
ボビン２１、２２、２３、２４、２５、２６は樹脂材料からなり、形成時にコア１１、１２、１３、１４、１５、１６がインサートされて一体に形成される。ボビン２１、２２、２３、２４、２５、２６は、それぞれ巻線３１、３２、３３、３４、３５、３６とコア１１、１２、１３、１４、１５、１６とを絶縁する。
【００１９】
ボビン２１、２２、２３、２４、２５、２６は、吐出口４１側に設けられる上端部、コアがインサートされるインサート部、及び、コアのポンプ部４側に設けられる下端部から構成されている。具体的には、図１に示すように、ボビン２２は、上端部２２０、インサート部２２３、及び、下端部２７から構成されている。また、ボビン２５は、上端部２５０、インサート部２５３、及び、下端部２５９から構成されている。他のボビン２１、２３、２４、２６については図示しないが同様の構造を有している。
【００２０】
ボビンの上端部は、コアの吐出口４１側の端部を覆うよう設けられる。上端部には、６つの巻線３１、３２、３３、３４、３５、３６を電気的に接続する図示しない渡り線の移動を規制する図示しない位置決め部が形成される。なお、ここでいう「渡り線」とは、例えば、巻線と同じ材料から形成されている導線であって、ボビン２１、２２、２３、２４、２５、２６に巻回されない導線を指す。
【００２１】
インサート部は、コアの外環状部の径方向内側の壁面、接続部の周方向の壁面、及び、内環状部の径方向外側の壁面を覆うよう形成される。インサート部は、図３に示すように、巻線３１、３２、３３、３４、３５、３６が巻回される第１インサート部２１４、２２４、２３４、２４４、２５４、２６４、及び、第２インサート部２１５、２２５、２３５、２４５、２５５、２６５を形成する。
【００２２】
下端部は、コアのポンプ部４側の端部を覆うよう設けられる。
ここで、図７〜９に基づいて、ボビンの下端部の形状を詳細に説明する。図７には、ボビン２２の下端部２７を第２インサート部２２５側の径外方向側から見た斜視図を示す。図８には、ボビン２２の下端部２７を第２インサート部２２５側の径内方向側から見た斜視図を示す。図９（ａ）には、図３のＩＸａ−ＩＸａ線断面図を示す。図９（ｂ）には、ボビン２２に巻線３２を巻回している状態を示す。
【００２３】
下端部２７は、第１インサート部２２４と第２インサート部２２５とをコア１２のポンプ部４側で接続する下端巻回部２７１、巻線３２の巻き始めを構成する巻始部３２１を保持する巻始保持部２７２、下端巻回部２７１と巻始保持部２７２との間に設けられる規制部２７３、コア１２の内環状部１２３のポンプ部４側に形成される内側ガイド壁２７５、及び、径方向外側に形成される外側ガイド壁２７９などから構成されている。なお、図７〜９は、複数あるボビンのうち、ボビン２２の下端部２７を示しているが、他のボビン２１、２３、２４、２５、２６も同様に下端巻回部、巻始保持部、規制部、内側ガイド壁、及び、外側ガイド壁を有している。
【００２４】
下端巻回部２７１は、下端部２２１の略中央に設けられる。下端巻回部２７１は、ステータ１０の中心軸と同軸のロータ５０の中心軸に対して略垂直な巻回保持面２７４を有する。巻回保持面２７４上には、第２インサート部２２５から第１インサート部２２４に巻回される巻線３２の中間部が層状に設けられる。なお、巻線３２の「中間部」とは、ボビン２２に巻回される巻線３２のうち、巻始部３２１と巻線３２の巻き終わりを構成する図示しない巻終部との間に設けられ、第１インサート部２２４及び第２インサート部２２５に巻回される巻線３２の一部分を指す。
【００２５】
巻始保持部２７２は、下端巻回部２７１の径内方向であって、ボビン２２の周方向の端部に設けられる。具体的には、巻始保持部２７２は、内側ガイド壁２７５の径方向外側の周方向の端部に形成される。巻始保持部２７２のロータ５０の中心軸に対して略平行な方向には、巻始部３２１を保持可能な溝２７０が形成される。溝２７０は、ボビン２２の上端部２２０からインサート部２２３を通って下端部２７まで形成される。また、巻始保持部２７２は、ロータ５０の中心軸に対して略垂直に形成される巻始保持面２７６を有する。巻始保持面２７６上には巻始部３２１が設けられる。
【００２６】
規制部２７３は、巻始保持部２７２の径方向外側であって、下端巻回部２７１と巻始保持部２７２との間に形成される。規制部２７３は、ロータ５０の中心軸に対して略垂直に形成される端面２７８を有する。端面２７８は、巻始保持部２２２の平面２２７と同一平面上に形成される。
【００２７】
一実施形態による燃料ポンプ１では、規制部２７３及び巻始保持部２７２は、下端巻回部２７１に比べロータ５０の中心軸方向に延びるよう形成される。具体的には、図９（ａ）に示すように、規制部２７３の端面２７８及び巻始保持部２７２の巻始保持面２７６は、下端巻回部２７１の巻回保持面２７４よりポンプ部４側に形成され、ロータ５０の中心軸方向における端面２７８及び巻始保持面２７６と巻回保持面２７４との間の距離Ｄは、巻線３２の半径以上となるよう形成されている。
【００２８】
また、巻始保持面２７６と巻回保持面２７４とは、図９（ａ）に示すように、傾斜面２７７により接続されている。傾斜面２７７には、図９（ｂ）に示すように、巻線３２の巻始部３２１と巻線３２の中間部３２２とを接続する巻線３２の巻始中間部３２０が設けられる。
【００２９】
図１〜３に戻り、巻線３１、３２、３３、３４、３５、３６は、例えば、表面が絶縁皮膜で被覆された銅線であって、ボビン２１、２２、２３、２４、２５、２６に巻回される。より具体的には、最初にボビンの巻始保持部に巻始部が保持された巻線は、第１インサート部、上端部、第２インサート部側、及び、下端部を通って再び第１インサート部を通るようボビンに集中巻きされる。ボビンへの巻線の巻回手順については後述する。
【００３０】
Ｗ相端子３７、Ｖ相端子３８、及び、Ｕ相端子３９は、図２に示すよう、カバーエンド４０の筒部４０１と干渉しない位置に設けられ、軸方向に突出している。Ｗ相端子３７、Ｖ相端子３８及びＵ相端子３９には、図示しない電源装置からの３相電力が供給される。
【００３１】
一実施形態では、ステータ１０の磁気回路を形成する３相巻線はデルタ結線されており、各相の端子間には２つの巻線が直列接続されている。Ｗ相端子３７とＶ相端子３８との間に巻線３１と巻線３４とが渡り線によって直列接続されている。また、Ｖ相端子３８とＵ相端子３９との間に巻線３２と巻線３５とが渡り線によって直列接続されている。また、Ｕ相端子３９とＷ相端子３７との間に巻線３３と巻線３６とが渡り線によって直列接続されている。
【００３２】
ロータ５０は、ステータ１０の内側に回転可能に収容される。ロータ５０は、鉄心５３の周囲に磁石５４が設けられる。図３に示すよう、磁石５４は、周方向にＮ極とＳ極とが交互に配置されている。一実施形態では、Ｎ極及びＳ極は４極対、計８極設けられている。
【００３３】
シャフト５２は、ロータ５０の中心軸上に形成された軸穴５１に圧入固定されており、ロータ５０とともに回転する。
【００３４】
次にポンプ部４の構成について説明する。
ポンプカバー６０は、図１の下方に開口する筒状の吸入口６１を有している。吸入口６１の内側には、ポンプカバー６０を板厚方向に貫く吸入通路６２が形成されている。
ポンプカバー６０とステータ１０との間には、ポンプケーシング７０が略円板状に設けられている。ポンプケーシング７０の中心部には、ポンプケーシング７０を板厚方向に貫く穴７１が形成されている。穴７１には、軸受５６が嵌め込まれている。軸受５６は、カバーエンド４０に嵌め込まれた軸受５５とともに、シャフト５２の軸方向両側を回転可能に支持している。これにより、ロータ５０及びシャフト５２は、カバーエンド４０及びポンプケーシング７０に対し回転可能となっている。
【００３５】
インペラ６５は、樹脂により略円板状に形成されている。「回転部材」としてのインペラ６５は、ポンプカバー６０とポンプケーシング７０との間のポンプ室７２に収容されている。インペラ６５の中心には、Ｄ字形状の穴６６が形成されている。穴６６には、外壁の一部がカットされたＤ字形状となっているシャフト５２のポンプ室７２側の端部がはめ込まれる。これにより、インペラ６５は、シャフト５２の回転によってポンプ室７２内で回転する。
【００３６】
ポンプカバー６０のインペラ６５側の面には、吸入通路６２と接続する溝６３が形成されている。また、ポンプケーシング７０のインペラ６５側の面には、溝７３が形成されている。溝７３には、ポンプケーシング７０を板厚方向に貫く通路７４が連通している。インペラ６５には、溝６３及び溝７３に対応する位置に羽根部６７が形成されている。
【００３７】
燃料ポンプ１では、モータ部３の巻線３１、３２、３３、３４、３５、３６に電力が供給されるとロータ５０及びシャフト５２とともにインペラ６５が回転する。インペラ６５が回転すると、燃料ポンプ１の外部の図示しない燃料タンク内の燃料が吸入口６１を経由して溝６３に導かれる。溝６３に導かれた燃料は、インペラ６５の回転により昇圧されつつ溝７３に導かれる。昇圧された燃料は、通路７４を流通し、ポンプケーシング７０のモータ部３側の中間室７５に導かれる。中間室７５に導かれた燃料は、モータ部３を縦断する燃料通路を経由して吐出通路４２に至り、吐出口４１から吐出される。
【００３８】
一実施形態の燃料ポンプ１では２つの燃料通路が形成されている。１つの燃料通路は、ロータ５０の外壁とステータ１０の内壁との間の通路７６１、及び、カバーエンド４０の筒部４０２の外壁とボビン２１、２２、２３、２４、２５、２６の内壁との間の通路４３を経由する。また、もう１つの燃料通路は、ステータ１０の外壁とハウジング５の内壁との間の通路４４を経由する。
【００３９】
次に、一実施形態のボビンに巻線を巻回する手順について図４〜９に基づいて説明する。ここでは、説明の便宜上、コア１２を覆うボビン２２への巻線３２の巻回手順を説明するが、他のボビン２１、２３、２４、２５、２６に巻線３１、３３、３４、３５、３６を巻回する手順も同様である。図４〜６には、一実施形態のボビン２２を吐出口４１側から見た断面図であって、ボビン２２に巻回される巻線３２の配置を示す。図４には、第１インサート部２２４及び第２インサート部２２５に１層目の巻線３２が巻回された状態を示す。図５には、図４に示す状態の後、２層目の巻線３２を巻回した状態を示す。図６には、図５に示す状態の後、２層目から３層目への巻線３２を巻回する途中の状態を示す。なお、ここで使用する「１層目」、「２層目」とは、巻線３２を第１インサート部２２４及び第２インサート部２２５に層状に巻回するとき、コア１２の接続部１２２に近い順番を示す。すなわち、コア１２の接続部１２２の最も近い位置に巻回される巻線３２を「１層目」の巻線という。
【００４０】
巻線３２がボビン２２に巻回されるとき、最初に上端部２２０からインサート部２２３を通って下端部２７に向かって巻線３２が配置される。このとき、巻線３２の巻始部３２１は、溝２７０に収容され、ボビン２２に保持される。
溝２７０に収容される巻始部３２１は、下端部２７においてロータ５０の中心軸に対して略直角に曲げられ、巻始保持面２７６に沿って設けられる（図９（ｂ）参照）。その後、巻始部２７６に接続する巻始中間部３２０が傾斜面２７７に沿って設けられ、巻始中間部３２０に接続する中間部が第１インサート部２２４に巻回される。
【００４１】
次に、巻始中間部３２０に接続する中間部３２２は、図４に示すように、第１インサート部２２４の最も径内方向であってコア１２の接続部１２２に最も近い位置に設けられる。すなわち、巻始部３２１と中間部３２２との間の巻線３２は、二点鎖線Ｌ１１に示すように下端部２７側、すなわち、図４の紙面の奥側を通る。
【００４２】
次に、中間部３２２に接続する中間部３２３は、第２インサート部２２５の最も径内方向であってコア１２の接続部１２２に最も近い位置に設けられる。このとき、中間部３２２と中間部３２３との間の巻線３２は、上端部２２０側、すなわち、図４の紙面の手前側を通る。
【００４３】
この後、１層目の巻線３２の中間部は、下端部２７側及び上端部２２０側を順番に通り巻回される。第１実施形態による燃料ポンプ１では、１層目には巻線３２は３列並べられる。なお、図４では、第１インサート部２２４及び第２インサート部２２５に巻回される１層目の巻線３２のうち、上端部２２０側を通る巻線３２を一点鎖線Ｌ１２、Ｌ１４、Ｌ１６で示す。また、下端部２７側を通る巻線３２を二点差線Ｌ１１、Ｌ１３、Ｌ１５で示す。
【００４４】
次に、第２インサート部２２５の最も径外方向であってコア１２の接続部１２２に最も近い位置に設けられる中間部３２４に接続する中間部３２５は、図５に示すように、第１インサート部２２４の最も径外方向側であってコア１２の接続部１２２から見て１層目の中間部の外側の位置に２層目の巻線３２として設けられる。このとき、中間部３２４と中間部３２５との間の巻線３２は、下端部２７側、すなわち、図５の紙面の奥側を通る。
【００４５】
次に、中間部３２５が接続する中間部３２６は、第２インサート部２２５の最も径外方向側であってコア１２の接続部１２２から見て１層目の中間部の外側の位置に２層目の巻線３２として巻回される。このとき、中間部３２５と中間部３２６との間の巻線３２は、上端部２２０側、すなわち、図５の紙面の手前側を通る。
【００４６】
この後、２層目の巻線３２の中間部は、下端部２７側及び上端部２２０側を順番に通り、巻回される。このとき、２層目に巻回される巻線３２であって最も径方向内側に設けられる中間部３２７、３２８は、第１インサート部２２４の側壁に形成されている溝２２６、及び、第２インサート部２２５の側壁に形成されている溝２２７に保持され、移動が一定程度規制される。第１実施形態による燃料ポンプ１では、２層目には巻線３２は４列並べられる。なお、図５では、上端部２２０側を通る巻線３２を一点鎖線Ｌ２２、Ｌ２４、Ｌ２６、Ｌ２８で示す。また、下端部２７側を通る巻線３２を二点差線Ｌ２１、Ｌ２３、Ｌ２５、Ｌ２７で示す。
【００４７】
次に、第２インサート部２２５の最も径内方向の位置する中間部３２８に接続する中間部３２９は、図６に示すように、第１インサート部２２４の最も径方向内側であってコア１２の接続部１２２から見て２層目の中間部の外側の位置に３層目の巻線３２として巻回される。このとき、中間部３２８と中間部３２９との間の巻線３２である中間部３０は、図６の二点差線Ｌ３１のように下端部２７側、すなわち、図６の紙面の奥側を通る。具体的には、図７（ｂ）及び図８（ｂ）に示すように、中間部３０は、巻回保持面２７４上の最も径方向内側であって、既に２層巻回されている巻線３２の上に巻回される。このとき、中間部３０は、巻回保持面２７４よりポンプ部４側に延びるよう形成されている規制部２７３及び巻始保持面２７６上に設けられている巻始部３２１により径内方向の移動が規制される。
この後、巻線３２は、第１インサート部２２４、上端部２２０、第２インサート部２２５、及び、下端部２７の順に巻回され、図３に示すように６層の巻線３２がボビン３２に巻回される。
【００４８】
ここで、比較例として、下端巻回部と巻始保持部との間に規制部が形成されていない燃料ポンプについて説明する。図１０には、コアが有するボビンの下端巻回部と巻始保持部との間に規制部が形成されていない燃料ポンプのボビンの下端部の拡大図を示す。図１０（ａ）は、巻線９２が巻回される前のボビン８２の斜視図を示す。なお、図１０（ａ）は、一実施形態による燃料ポンプ１のボビン２２の下端部２７の拡大図である図８（ａ）と同じ角度からの斜視図である。また、図１０（ｂ）は、巻線９２が巻回された後のボビン８２の斜視図を示す。なお、図１０（ｂ）は、一実施形態による燃料ポンプ１のボビン２２の下端部２７の拡大図である図８（ｂ）と同じ角度からの斜視図である。
【００４９】
比較例の燃料ポンプのボビン８２では、下端巻回部９７１の巻回保持面９７４と巻始保持部９７２の巻始保持面９７６とが同じ高さになるよう形成されている。また、巻回保持面９７４と巻始保持面９７６との間には一実施形態による燃料ポンプ１のモータ部３のボビンが有する規制部が設けられていない。このため、図１０（ｂ）に示すように、巻回部に巻回されている巻線９２のうち、第２インサート部の２層目に巻回されている中間部９２８と第１インサート部の３層目に巻回される中間部９２９との間の巻線９２である中間部９０と、内側ガイド壁９７５と、の間に隙間９５が形成されるため、巻線９２の巻回時に中間部９０が矢印Ｆの方向に移動し、巻線９２が巻き崩れるおそれがある。
【００５０】
一実施形態による燃料ポンプ１では、ボビンの下端部に形成される規制部は、下端巻回部に比べロータ５０の中心軸方向に延びるよう形成される。これにより、下端巻回部の巻回保持面上に層状に巻回される中間部の移動が規制され、巻線の巻始部のポンプ側に形成される空間に巻線が移動することを防止する。これにより、巻線の巻回時に巻線の巻き崩れを防止することができる。
【００５１】
また、巻始保持部の巻始保持面は、規制部の端面と同じ高さになるよう形成されている。これにより、巻回保持面に対する規制部の高さに加えて巻回保持面上に設けられる巻線の巻始部も巻線の巻き崩れを防止することができる。
【００５２】
また、巻始保持部の巻始保持面は、下端巻回部の巻回保持面と傾斜面により接続している。巻始保持面上に設けられる巻始部と第１インサート部に巻回される中間部とは，傾斜面上に設けられる巻線の巻始中間部により接続されている。これにより、巻始部、巻始中間部、及び、第１インサート部の１層目に巻回される中間部が無理なく配置され、巻始部と中間部との接続箇所に形成される隙間を小さくすることができる。したがって、巻線の巻き崩れをさらに防止することができる。
【００５３】
また、規制部の端面及び巻始保持部の巻始保持面と下端巻回部の巻回保持面との間の距離Ｄは、巻線の半径以上となるよう形成されている。これにより、一実施形態による燃料ポンプ１のように６層の巻線をボビンに巻回する場合、２層目から３層目への中間部の巻き崩れを規制部及び巻始保持面上の巻線により効果的に防止することができる。
【００５４】
（他の実施形態）
【００５５】
（ア）上述の実施形態では、本発明のモータを燃料ポンプに用いるとした。しかしながら、モータの使用用途はこれに限定されない。巻線が巻回されるステータを有するモータを使用する用途であればよい。
【００５６】
（イ）上述の実施形態では、巻始保持部の巻始保持面は、規制部の端面と同じ高さになるよう形成されているとした。しかしながら、巻始保持面の高さはこれに限定されない。規制部の端面より低くてもよい。
【００５７】
（ウ）上述の実施形態では、巻始保持部の巻始保持面と下端巻回部の巻回保持面とは傾斜面により接続されるとした。しかしながら、巻始保持面と巻回保持面とを接続する部位の形状はこれに限定されない。傾斜面でなくてもよい。
【００５８】
（エ）上述の実施形態では、規制部の端面及び巻始保持部の巻始保持面と下端巻回部の巻回保持面との間の距離は、巻線の半径以上となるよう形成されているとした。しかしながら、当該距離の大きさはこれに限定されない。巻線の半径より小さくてもよい。
【００５９】
（オ）上述の実施形態では、ボビンには６層の巻線が巻回されるとした。また、１層当たりの巻線の列は、３列または４列とした。しかしながら、巻回される巻線の層の数及び１層当たりの巻線の列の数はこれに限定されない。
【００６０】
以上、本発明はこのような実施形態に限定されるものではなく、その要旨を逸脱しない範囲で種々の形態により実施可能である。
【符号の説明】
【００６１】
３          ・・・モータ部（モータ）、
１０        ・・・ステータ、
１１、１２、１３、１４、１５、１６・・・コア、
２１、２２、２３、２４、２５、２６・・・ボビン、
２７１      ・・・下端巻回部（巻回部）、
２７２      ・・・巻始保持部、
２７３      ・・・規制部、
３１、３２、３３、３４、３５、３６・・・巻線、
３２１      ・・・巻始部、
３０、３２２、３２３、３２４、３２５、３２６、３２７、３２８、３２９・・・中間部、
５０        ・・・ロータ。
【図１】
2014236651.tif 000003
【図２】
2014236651.tif 000004
【図３】
2014236651.tif 000005
【図４】
2014236651.tif 000006
【図５】
2014236651.tif 000007
【図６】
2014236651.tif 000008
【図７】
2014236651.tif 000009
【図８】
2014236651.tif 000010
【図９】
2014236651.tif 000011
【図１０】
2014236651.tif 000012